(57)【要約】【目的】簡単かつ安価な構成で、指先等を使うことなくパラパラ用紙を容易に連続して捲ることを可能にし、捲り速度を容易に自由に調整しながらパラパラアニメーションを楽しむことを可能にする。【構成】外ケース１に対して出し入れ方向に移動可能に連結される内ケース２を設け、内ケース２に画像が描かれた複数枚の用紙からパラパラ用紙５を収め、内ケース２を外ケース１から引き出して回動させることによりパラパラ用紙５を押し曲げ、内ケース２をさらに回動させてパラパラ用紙５に対する押し曲げ力を解除することで復元力によりパラパラ用紙５を捲る。【選択図】                                図１４
2004147733.tif 000002
【特許請求の範囲】
【請求項１】
外ケースに対して出し入れ方向に移動可能に連結される内ケースを設け、前記内ケースに画像が描かれた複数枚の用紙から成るパラパラ用紙を収め、前記内ケースを前記外ケースから引き出して該外ケースに対して回動させることによりパラパラ用紙を押し曲げ、前記内ケースをさらに回動させて該パラパラ用紙に対する押し曲げ力を解除することで該パラパラ用紙の復元力により該パラパラ用紙を捲ることを特徴とするパラパラ捲り機。
【発明の詳細な説明】
【０００１】
本発明は、パラパラ用紙を捲りながらパラパラアニメーションを楽しむことができるパラパラ捲り機に関する。
【０００２】
【従来の技術】
絵や記号などから成る画像が描かれた複数枚の用紙から成るパラパラ用紙を連続的に捲りながら目の残像現象を利用して動く画像（動画）を表示することにより、パラパラアニメーション等を楽しむことが行われている。図２２は従来のパラパラ用紙を例示する模式図であり、図２３は図２２に示すようなパラパラ用紙を捲る動作を例示する模式図である。図２２において、（Ａ）はパラパラ用紙５の画像のある部分から離れた方の端部をクリップ１０で挟んで固定する場合を示し、（Ｂ）はパラパラ用紙５の画像のある部分から離れた方の端部を輪ゴムやＯリング１１で止めて固定する場合を示し、（Ｃ）はパラパラ用紙５の画像のある部分から離れた方の端部１２をノリ付けして固定する場合を示す。そして、図２２に示すようなパラパラ用紙５を捲る際には、図２３に示すように、パラパラ用紙５の画像のある側の部分を少し折り曲げた状態で、親指１３の先端や爪先でパラパラ用紙５の画像のある側の先端部を矢印Ｇ方向に滑らしながら捲っていく方法が採られていた。
【０００３】
【発明が解決しようとする課題】
しかしながら、図２２及び図２３に示すような従来例においては、親指の先端や爪先に沿ってパラパラ用紙５の先端部をうまく滑らすことができず、そのため、パラパラ用紙５が１枚ずつぱらぱらと捲れるのではなく、何枚かまとまって捲れてしまうことがあり、予定通りに連続した良好なアニメーションにはならず、見える動画が乱れてしまうという不都合があった。
また、実開平０４−６０２９９号公報に示されるように、パラパラ用紙を収めるためのホルダを使用し、該ホルダのパラパラ用紙保持部の後方壁を傾斜させる場合にも、前記保持部後方壁の傾斜の具合によってはパラパラ用紙を１枚ずつぱらぱらと捲ることができず、何枚かまとまって捲れてしまったり、手捲りする際の滑り量（移動量）が増えるためにかえって使いづらくなってしまうなどの不都合があった。
【０００４】
本発明はこのような技術的課題に鑑みてなされたものであり、本発明の目的は、簡単かつ安価な構成で、指先等を使うことなくパラパラ用紙を容易に連続して捲ることができ、しかも捲り速度を容易に自由に調整しながらパラパラアニメーションを楽しむことができるパラパラ捲り機を提供することである。
【０００５】
【課題を解決するための手段】
本発明に係るパラパラ捲り機は、上記目的を達成するため、外ケースに対して出し入れ方向に移動可能に連結される内ケースを設け、前記内ケースに画像が描かれた複数枚の用紙から成るパラパラ用紙を収め、前記内ケースを前記外ケースから引き出して該外ケースに対して回動させることによりパラパラ用紙を押し曲げ、前記内ケースをさらに回動させて該パラパラ用紙に対する押し曲げ力を解除することで該パラパラ用紙の復元力により該パラパラ用紙を捲ることを特徴とする。
【０００６】
【発明の実施の形態】
以下図面を参照して本発明の実施の形態を具体的に説明する。なお、各図面を通して同一符号は同一又は対応する部分を示す。
図１は本発明を適用したパラパラ捲り機の第１実施例のパラパラ用紙装填前の状態を内ケース側の上方から見た模式的斜視図であり、図２は図１のパラパラ捲り機のパラパラ用紙装填前の状態を内ケースと反対側の上方から見た模式的斜視図である。図１及び図２において、外側のケース（簡略化のため、外ケースと呼ぶ）１に対して内側のケース（簡略化のため、内ケースと呼ぶ）２が出し入れ方向に移動可能でかつ回動可能に連結されている。前記外ケース１及び前記内ケース２はＡＢＳ等の合成樹脂の成形品で作られている。
【０００７】
図３は前記外ケース１の平面図であり、図４は図３の外ケース１の線４−４に沿った中央部縦断面図であり、図５は前記内ケース２の平面図であり、図６は図５の内ケース２の線６−６に沿った中央部縦断面図である。図１〜図６において、前記内ケース２にはパラパラ用紙保持部２ｂが設けられており、このパラパラ用紙保持部２ｂ内には後述するような画像が描かれた複数枚の用紙を束ねたパラパラ用紙５が装填される（収められる）。
【０００８】
前記外ケース１の両サイドの内面には案内溝１ａが形成されており、前記内ケース２の両サイドの外面には前記案内溝１ａに摺動可能に嵌合される軸部（突出部）２ａが形成されている。前記内ケース２は、その軸部２ａを前記案内溝１ａに嵌合することにより、前記外ケース１に対し、矢印Ｘで示す出し入れ方向に移動可能にかつ前記軸部２ａを中心に回動可能に連結されている。また、外ケース１の内面には、内ケース２を挿入する際に該内ケース２を平行にかつ円滑に移動させるためのガイド部１ｋ及び該内ケース２の装填位置を規制する（過度の進入を防止する）ためのストッパ部１ｍが形成されている。
【０００９】
図７は本発明を適用したパラパラ捲り機の第１実施例においてパラパラ用紙５を内ケース２に装填する直前の状態を示す模式的斜視図であり、図８は図７のパラパラ捲り機においてパラパラ用紙５を内ケース２に装填した直後の状態を示す模式的斜視図であり、図９はパラパラ用紙５が装填された内ケース２を模式的に示す中央部縦断面図である。
次に、図７、図８及び図９を用いてパラパラ用紙５をパラパラ捲り機に装填（挿入）する方法を説明する。先ず、図７に示すように、内ケース２を外ケース１から引き出した後、該内ケース２を軸部２ａを中心に回動させてその保持部２ｂの開口端面が上側にくるような立ち姿勢にする。そして、複数枚の動画紙から成るパラパラ用紙５を矢印Ａ方向から内ケース２の保持部２ｂ内に挿入し、図８の状態にする。
【００１０】
ここで、前記内ケース２のパラパラ用紙保持部２ｂの後方壁面（用紙収納部の奥の行き止まり面）は、図９に示すように、該内ケース２の上側寄りで奥行きが深く下側寄りで奥行きが浅くなるような凸状の湾曲面で形成されているため、挿入されたパラパラ用紙５の先端部（外側の端部）もこの後方壁面の形状に沿ってずれることになる。そして、保持部２ｂに挿入（装填）されたパラパラ用紙５の画像がある先端部の用紙ごとのずれ量は、画像がある方の先頭面側の用紙５ｘほど大きくなっている。そのため、パラパラ用紙５の先端部を捲りながらパラパラアニメーションを楽しむ場合においては、ひっかけ部分（後述するように、外ケース１の端縁部１ｅにひっかかる部分）の用紙ごとの間隔が先頭面側の用紙５ｘに近い用紙ほど離れているためにパラパラアニメーションを円滑に始めることができ、さらに、全体としての用紙ごとのずれ量が過大になることもないので、捲り操作の容易性を十分に確保することができる。
【００１１】
図１０〜図１７は本発明を適用したパラパラ捲り機の第１実施例の使用方法を示す模式図であり、図１０は図７〜図９で説明した挿入方法によりパラパラ用紙５を装填（挿入）した内ケース２を外ケース１内に収納した状態の模式的平面図であり、図１１は図１０のパラパラ捲り機の模式的中央部縦断面図であり、図１２は図１０及び図１１に示す状態のパラパラ捲り機の模式的側面図である。この図１０〜図１２の状態は持ち運びにも便利な状態であり、胸のポケットなどに入れておくのにも都合の良い形態である。
なお、図１２〜図１７の各側面図においては、外ケース１の案内溝部１ａにおける内ケース２の軸部２ａの位置関係を明示するため、これらの部分は、作図上では破線で示されるべきところ、明確化のため実線で示されている。
【００１２】
図１２において、前記内ケース２の両側に設けられた軸部２ａは、該内ケースが外ケース１に対して平行な姿勢（図示の水平な姿勢）にあるときに高さが小さくなるように、円形の一部を裁断した円弧状断面にされている。また、前記外ケース１に形成された案内溝１ａは、段違いに形成された前下側平行溝部１ｇと後上側平行溝部１ｈとこれらの平行溝部１ｇ、１ｈを接続する縦溝部１ｉとで形成されており、前記前下側平行溝部１ｇの後端部には前記軸部２ａを回動自在に捕捉可能なトラップ部１ｊが形成されている。
【００１３】
次に、図１０〜図１７を参照して本発明を適用したパラパラ捲り機の第１実施例の使用方法を説明する。前記パラパラ捲り機を使用する場合は、図１０に示す外ケース１の図示左側端部１ｃを左手の親指と人指し指及び中指とで上下から挟む形で該外ケース１を持つとともに、図１０に示す内ケース２の図示右側端部２ｃを右手の親指と人指し指及び中指とで上下から挟む形で該内ケース２を持ち、以下に説明するような順序で操作する。
使用に際しては、最初に、図１０〜図１２に示す状態から、外ケース１に対して内ケース２を矢印Ｂ方向に移動させ、内ケース２の軸部２ａが外ケース１の案内溝１ａの前下側平行溝部１ｇの後端部のトラップ部１ｊに衝突するまで該内ケース２を引き出して図１３の状態にする。
なお、前記前下側平行溝部１ｇの幅は、図示のように内ケース２を外ケース１に対して平行方向に相対移動させることはできるが、前記軸部２ａの回動は制限するような比較的狭い幅に選定されている。一方、前記後上側平行溝部１ｈ及び前記縦溝部１ｉの幅は前記軸部２ａの回動を自由に許すような寸法に選定され、また、前記トラップ部１ｊの寸法形状も前記軸部２ａの回動を自由に許すようなものに選定されている。
【００１４】
そこで、図１３の状態で、前記軸部２ａを中心に内ケース２を矢印Ｃ方向に回動操作する。すると、この回動操作の当初ではパラパラ用紙５の先端部が外ケース１の端縁部１ｅによって押さえ付けられているが、さらに内ケース２を矢印Ｃ方向に回動させることで、図１４に示すように、外ケース１の端縁部１ｅに押さえられていたパラパラ用紙５の先端部が先頭面側の用紙５ｘから順次該端縁部１ｅによって捲られ、該端縁部１ｅから外れていくことになる。すなわち、パラパラ用紙５自身の復元力によってパラパラ用紙５は前記端縁部１ｅによって１枚ずつ捲られていき、パラパラアニメーションを楽しむことができる。
【００１５】
すなわち、図１４に示すように、内ケース２を外ケース１から引き出して該外ケースに対し回動させることにより、先ずパラパラ用紙５を端縁部１ｅで押し曲げ、次いで、内ケース２をさらに回動させてパラパラ用紙５の弾性力を利用して押し曲げ力を解除することで該パラパラ用紙５を復元力により捲ることにより、パラパラアニメーションを楽しむことができる。
その際、内ケース２を回動させる速度を変えることにより、パラパラアニメーションの速度も簡単かつ容易に調整することができる。
図１５は上記パラパラ用紙５の捲りを終了した直後の状態を示す模式的側面図である。
【００１６】
図１４に示すような内ケース２の回動操作による捲り動作によってパラパラアニメーションを見ることで図１５に示すように内ケース２を立ち姿勢にした後、内ケース２を図１５の状態から前記縦溝部１ｉ及び前記後上側平行溝部１ｈに沿って矢印Ｄ（図１６）で示すように移動させることにより、図１６の状態にする。すなわち、内ケース２の軸部２ａを外ケース１の案内溝１ａに沿って先ず上方へ移動させ、次いで図示右方向へ終点まで移動させることにより、図１６の状態にする。
次いで、内ケース２を矢印Ｅ方向（図１７）に回動操作し、パラパラ用紙５の先端部の背面側の用紙５ｙが外ケース１の内側の底面に接するまで回動させて図１７に示すような状態にし、さらに、内ケース２を前記案内溝１ａに沿って矢印Ｆ方向へ移動操作することで軸部２ａを前記前下側平行溝部１ｇの前端終点まで移動させる。この時、外ケース１内面に形成されているガイド部１ｋ及び比較的狭い幅に選定されている前下側平行溝部１ｇにより、途中から内ケース２は外ケース１に対し平行になるように移動させられる。こうすることで、パラパラ用紙５が装填された内ケース２が外ケース１の中に収納され、図１０〜図１２に示した最初の状態（持ち運びに便利な状態）に戻される。
【００１７】
続けてパラパラアニメーションを楽しみたい場合は、図１０〜図１７で説明した動作を再度実行することにより楽しむことができる。また、図１０〜図１２の状態でパラパラアニメーションが上下逆になってしまっているときには、図１０で説明した手持ちの状態から右手と左手を持ち替えて前述と同様のパラパラ捲りの操作を行うことにより、正しい向きでのパラパラアニメーションを楽しむことができる。
【００１８】
図１８は本発明を適用したパラパラ捲り機の第２実施例における内ケース２を示す模式的斜視図である。本実施例は、内ケース２のパラパラ用紙保持部２ｂの中に柔らかいスポンジ等から成る緩衝材６を配設したものであり、その他の構成は図１〜図１７で説明した第１実施例の場合と実質的に同じである。前記緩衝材６は、パラパラアニメーション等の種類によってパラパラ用紙５の全体の厚さが多少変化する場合でも、それに対応して該パラパラ用紙５を確実に保持できるようにするものである。
【００１９】
図１９は本発明を適用したパラパラ捲り機の第３実施例における内ケース２のパラパラ用紙５装填状態を模式的に示す中央部縦断面図である。本実施例は、パラパラ用紙５の背面側の用紙５ｙ（先頭面側の用紙５ｘと反対側の用紙）に沿って塩化ビニール等のばね性を有する素材から成る補強板７を配設したものであり、その他の構成は図１〜図１７で説明した第１実施例又は図１８の第２実施例の場合と実質的に同じである。この補強板７は、パラパラ用紙５の弾性復元力を補強するためのものであり、通常、パラパラ用紙５を内ケース２の保持部２ｂに装填する際に追加されるものである。
【００２０】
図２０及び図２１は本発明を適用したパラパラ捲り機の第４実施例を示す模式的斜視図であり、図２０は内ケース２を外ケース１の中に収納すべく挿入しているときの状態を示し、図２１は内ケース２を外ケース１の中に収納したときの状態を示す。
本実施例は、外ケース１の内側の底面に凸部１ｄを設けるとともに、内ケース２の前記凸部１ｄに対応する位置に該凸部１ｄと嵌合（係合）可能な凹部（又は開口部）２ｄを設けたものである。本実施例のその他の部分は、前述の第１実施例、第２実施例あるいは第３実施例と実質的に同じ構成になっている。前記凸部１ｄ及び凹部（開口部）２ｄは、内ケース２を外ケース１内に収めた際に、該内ケース２と該外ケース１との相対移動を規制することにより、該内ケースを確実に保持できる収納状態を実現するためのものである。なお、前記凸部１ｄ及び凹部（又は開口部）２ｄの配置関係は、外ケース１に凹部を設けるとともに内ケース２に凸部を設けるような、反対の位置関係であっても良い。
【００２１】
以上説明した実施例におけるパラパラ捲り機は、外ケース１に対して出し入れ方向に移動可能に連結される内ケース２を設け、前記内ケース２に画像が描かれた複数枚の用紙から成るパラパラ用紙５を収め、前記内ケース２を前記外ケース１から引き出して該外ケースに対して回動させることによりパラパラ用紙５を押し曲げ、前記内ケース２をさらに回動させて該パラパラ用紙５に対する押し曲げ力を解除することで該パラパラ用紙の復元力により該パラパラ用紙を捲るように構成されている。
また、前述の実施例で説明した本発明に係るパラパラ捲り機は、次に列挙するような形態で実施することが好ましい。
【００２２】
第１の実施の形態は、前記内ケース２の保持部２ｂの後方壁面２ｆをパラパラ用紙５の先頭面側５ｘほど用紙ごとのズレ量が大きくなるような凸状の湾曲面にすることにより、該保持部に装填されたパラパラ用紙５の先端部の用紙ごとのズレ量を先頭面側５ｘほど大きくすることを特徴とする。
第２の実施の形態は、前記内ケース２の保持部２ｂの中に柔らかいスポンジ等から成る緩衝材６を配設することを特徴とする。
第３の実施の形態は、前記外ケース１の内面に、前記内ケース２を挿入する際に該内ケースを平行に移動させるためのガイド部１ｋを設けることを特徴とする。
【００２３】
第４の実施の形態は、前記内ケース２の保持部２ｂに、押し曲げられたパラパラ用紙５の座屈やへたりを抑制するために該パラパラ用紙の背面５ｙを支持する補強板７を配置することを特徴とする。
第５の実施の形態は、前記内ケース２はパラパラ用紙５が装填されたままの状態で前記外ケース１内に収納状態で保持可能であることを特徴とする。
第６の実施の形態は、前記内ケース２を前記外ケース１の内部に保持できるように、該外ケース及び該内ケースに互いに係合可能な凸凹係合部１ｄ、２ｄを設けることを特徴とする。
【００２４】
【発明の効果】
以上の説明から明らかなごとく、本発明のパラパラ捲り機によれば、外ケースに対して出し入れ方向に移動可能に連結される内ケースを設け、前記内ケースに画像が描かれた複数枚の用紙から成るパラパラ用紙を収め、前記内ケースを前記外ケースから引き出して該外ケースに対して回動させることによりパラパラ用紙を押し曲げ、前記内ケースをさらに回動させて該パラパラ用紙に対する押し曲げ力を解除することで該パラパラ用紙の復元力により該パラパラ用紙を捲る構成としたので、
簡単かつ安価な構成で、指先等を使うことなくパラパラ用紙を容易に連続して捲ることができ、しかも捲り速度を容易に自由に調整しながらパラパラアニメーションを楽しむことができるパラパラ捲り機が提供される。
【図面の簡単な説明】
【図１】本発明を適用したパラパラ捲り機の第１実施例のパラパラ用紙装填前の状態を内ケース側の上方から見た模式的斜視図である。
【図２】図１のパラパラ捲り機のパラパラ用紙装填前の状態を内ケースと反対側の上方から見た模式的斜視図である。
【図３】図１中の外ケースの平面図である。
【図４】図３の外ケースの線４−４に沿った中央部縦断面図である。
【図５】図１中の内ケースの平面図である。
【図６】図５の内ケースの線６−６に沿った中央部縦断面図である。
【図７】本発明を適用したパラパラ捲り機の第１実施例においてパラパラ用紙を内ケースに装填する直前の状態を示す模式的斜視図である。
【図８】図７のパラパラ捲り機においてパラパラ用紙を内ケースに装填した直後の状態を示す模式的斜視図である。
【図９】パラパラ用紙が装填された内ケースを模式的に示す中央部縦断面図である。
【図１０】図７〜図９で説明した挿入方法によりパラパラ用紙５を装填した内ケースを外ケース内に収納した状態を示す模式的平面図である。
【図１１】図１０のパラパラ捲り機の線１１−１１に沿った模式的中央部縦断面図である。
【図１２】図１０及び図１１に示す状態のパラパラ捲り機の模式的側面図である。
【図１３】図１２の状態から内ケースを矢印Ｂ方向に移動させて該内ケースの軸部が外ケースの案内溝の前下側平行溝部の後端部のトラップ部に衝突するまで引き出した状態を示す模式的側面図である。
【図１４】図１３の状態から内ケースを矢印Ｃ方向に回動操作しながらパラパラ用紙を捲っていく状態を示す模式的側面図である。
【図１５】図１４に示すパラパラ用紙の捲り操作を終了した直後の状態を示す模式的側面図である。
【図１６】図１５の状態から内ケースを案内溝部に沿って後端位置まで移動させた状態を示す模式的側面図である。
【図１７】図１６の状態から内ケースをパラパラ用紙の先端部の背面側の用紙が外ケースの内側の底面に接するまで矢印Ｅ方向に回動させた状態を示す模式的側面図である。
【図１８】本発明を適用したパラパラ捲り機の第２実施例における内ケースを示す模式的斜視図である。
【図１９】本発明を適用したパラパラ捲り機の第３実施例における内ケースのパラパラ用紙装填状態を模式的に示す中央部縦断面図である。
【図２０】本発明を適用したパラパラ捲り機の第４実施例において内ケースを外ケースの中に収納すべく挿入しているときの状態を示す模式的斜視図である。
【図２１】図２０のパラパラ捲り機において内ケースを外ケースの中に収納したときの状態を示す模式的斜視図である。
【図２２】従来のパラパラ用紙を例示する模式図である。
【図２３】図２２に示すようなパラパラ用紙を捲る動作を例示する模式図である。
【符号の説明】
１        外ケース
１ａ      案内溝
１ｄ      凸部
１ｅ      端縁部
１ｇ      前下側平行溝部
１ｈ      後上側平行溝部
１ｉ      縦溝部
１ｊ      トラップ部
１ｋ      ガイド部
１ｍ      ストッパ部
２        内ケース
２ａ      軸部
２ｂ      保持部
２ｄ      凹部
２ｆ      後方壁面
５        パラパラ用紙
５ｘ      先頭面側
５ｙ      背面側
６        緩衝材
７        補強板
【図１】
2004147733.tif 000003
【図２】
2004147733.tif 000004
【図３】
2004147733.tif 000005
【図４】
2004147733.tif 000006
【図５】
2004147733.tif 000007
【図６】
2004147733.tif 000008
【図７】
2004147733.tif 000009
【図８】
2004147733.tif 000010
【図９】
2004147733.tif 000011
【図１０】
2004147733.tif 000012
【図１１】
2004147733.tif 000013
【図１２】
2004147733.tif 000014
【図１３】
2004147733.tif 000015
【図１４】
2004147733.tif 000016
【図１５】
2004147733.tif 000017
【図１６】
2004147733.tif 000018
【図１７】
2004147733.tif 000019
【図１８】
2004147733.tif 000020
【図１９】
2004147733.tif 000021
【図２０】
2004147733.tif 000022
【図２１】
2004147733.tif 000023
【図２２】
2004147733.tif 000024
【図２３】
2004147733.tif 000025